(57)【要約】  【課題】ショートセル毎にスイッチングでき、且つ入出力されるセルの形式を一致させることができるＡＴＭ交換機を提供する。  【解決手段】ＡＴＭ交換機１０において、インターフェイス部１２は、複数個のショートセルを格納したセルが入力された場合に、セルの識別子を分離装置１３へ送出される値に設定してＡＴＭ-ＳＷ１１へ送出し、分離装置１３は、インターフェイス部１２から送出されたセルを、ＡＴＭ-ＳＷ１１を介して受け取り、このセルに格納された複数個のショートセルを１個ずつ格納した標準セルを複数個生成し、各標準セルの識別子を多重装置１４へ送出される値に設定してＡＴＭ-ＳＷ１１へ送出し、多重装置１４は、分離装置１３から送出された複数個の標準セルを、ＡＴＭ-ＳＷ１１を介して受け取り、これらの標準セルに格納されたショートセルの識別子に従って複数個のショートセルを格納したセルを生成し、生成したセルの識別子を所定の出方路から送出される値に設定してＡＴＭ-ＳＷ１１へ送出する。【選択図】図１
2004173316.tif 000002
【特許請求の範囲】
【請求項１】
可変長のショートセルを格納した固定長のセルをスイッチングするＡＴＭ交換機において、
複数のショートセルを格納した前記セルから、各ショートセルを１個ずつ格納したセルを生成する分離手段と、
各ショートセルを１個ずつ格納した前記セルから、複数のショートセルを格納した新たなセルを生成する多重手段と
を備えたことを特徴とするＡＴＭ交換機。
【請求項２】
前記ショートセルは、ショートセルコネクションを識別するショートセルコネクション識別子を有していることを特徴とする請求項１に記載のＡＴＭ交換機。
【請求項３】
前記分離手段は、各ショートセルを１個ずつ格納した前記セルに、前記多重手段へ向かう値を持つ識別子を設定してＡＴＭスイッチを介して前記多重手段へ送出する構成を有することを特徴とする請求項２に記載のＡＴＭ交換機。
【請求項４】
前記多重手段は、前記識別子または前記ショートセルコネクションに従って複数のショートセルを多重して格納する新たなセルを生成することを特徴とする請求項３に記載のＡＴＭ交換機。
【請求項５】
前記分離手段は、前記識別子を前記ショートセルコネクション識別子を参照して設定することを特徴とする請求項３に記載のＡＴＭ交換機。
【請求項６】
ＡＴＭスイッチと、このＡＴＭスイッチに接続されたセル送出部，分離装置及びセル受信部とを備えたショートセル対応ＡＴＭ交換機の試験方法であって、
前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、
前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第２のステップと、
前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置の動作が正常か否かを判定する第３のステップと
を含むことを特徴とするショートセル対応ＡＴＭ交換機の試験方法。
【請求項７】
ＡＴＭスイッチと、このＡＴＭスイッチに接続されたセル送出部，多重装置及びセル受信部とを備えたショートセル対応ＡＴＭ交換機の試験方法であって、
前記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、
前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第２のステップと、
前記セル受信部が、前記多重装置から送出されたセルを、前記ＡＴＭスイッチを介して受け取り、このセルに格納されたショートセルの内容と前記セル送出部から通知されたシ
ョートセルの内容とに基づいて、前記多重装置の動作が正常か否かを判定する第３のステップと
を含むことを特徴とするショートセル対応ＡＴＭ交換機の試験方法。
【請求項８】
ＡＴＭスイッチと、前記ＡＴＭスイッチに接続されたセル送出部，分離装置，多重装置及びセル受信部とを備えたショートセル対応ＡＴＭ交換機の試験方法であって、
前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、
前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記ＡＴＭスイッチへ向けて送出する第２のステップと、
前記多重装置が、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第３のステップと、
前記セル受信部が、前記多重装置から送出されたセルを、前記ＡＴＭスイッチを介して受け取り、このセルに格納されたショートセルの内容と前記セル送出部から通知されたショートセルの内容とに基づいて、前記分離装置及び前記多重装置の動作が正常か否かを判定する第４のステップと
を含むことを特徴とするショートセル対応ＡＴＭ交換機の試験方法。
【請求項９】
ＡＴＭスイッチと、前記ＡＴＭスイッチに接続されたセル送出部，分離装置，多重装置及びセル受信部とを備えたショートセル対応ＡＴＭ交換機の試験方法であって、
前記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、
前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記分離装置へ向けて送出される値に設定して前記ＡＴＭスイッチへ向けて送出する第２のステップと、
前記分離装置が、前記多重装置から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第３のステップと、
前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置及び前記多重装置の動作が正常か否かを判定する第４のステップと
を含むことを特徴とするショートセル対応ＡＴＭ交換機の試験方法。
【発明の詳細な説明】
【技術分野】
【０００１】
本発明は、低ビットレートの情報を転送するに適したショートセル対応のＡＴＭ交換機及びその試験方法に関する。
【背景技術】
【０００２】
ＡＴＭを用いて通信を行う場合には、ＡＴＭセルと呼ばれるデータの交換単位のペイロードに発生した情報を詰め込み、このＡＴＭセルを予め設定されたＡＴＭコネクションを用いて伝送することによってデータ伝送が行われる。このとき、１つのＡＴＭセルには、１つのＡＴＭコネクションに対して１つの宛先情報(ＶＰＩ／ＶＣＩ：仮想パス識別子／
仮想チャネル識別子)が割り当てられ、そのＶＰＩ／ＶＣＩは、ＡＴＭセルのヘッダに埋
め込まれる。そして、このようなＡＴＭセルが、ＶＰＩ／ＶＣＩに従って、ＡＴＭネットワーク内の所定のＡＴＭコネクション上を伝送される。
【０００３】
ところで、移動通信の場合には、通信帯域の有効利用を図るため、伝送されるデータは、圧縮処理が施された低ビットレートのデータ形式に変換されて伝送される。このような低速ビットレートの情報を標準のＡＴＭセルのペイロードに埋め込むと、一つのＡＴＭセルのペイロードがデータで満たされるのに時間を要する。このため、データの遅延を生じ、通信の品質低下を招くおそれがある。
【０００４】
そこで、低ビットレートの情報を少ない遅延で伝送可能な方式として、ＡＡＬＴｙｐｅ２(以下、「ＡＡＬ２」という)と呼ばれる多重転送方式が、ＩＴＵ-Ｔを中心として検討
されている。図１０及び図１１は、ＡＡＬ２のフォーマット説明図であり、図１２は、ＡＡＬ２による転送方式の概念図である。図１０(Ａ)において、ＡＡＬ２形式のセル(以下
、「ＡＡＬ２セル」という)のヘッダは、標準セルヘッダのフォーマットに新たにＯＳＦ,ＳＮ,Ｐの各フィールド(スタートフィールド：１バイト)が加えられている。
【０００５】
また、ショートセルは、固定長のショートセルヘッダと可変長のショートセルペイロードとからなる。ショートセルヘッダ内には、ショートセルコネクションを識別するためのＣＩＤ(ショートセルコネクション識別子)と、そのショートセルのペイロード長を示す長さ表示(ＬＩ：Length Indicator)とが埋め込まれる。一方、ショートセルペイロードには、上記した低ビットレートの情報が埋め込まれる。ＡＡＬ２セルには、複数個のショートセルが多重化された状態で格納される。このとき、ショートセルの一部が一個のＡＡＬ２セルのペイロードに収まりきらない場合には、図１２に示すように、ショートセルの残りの部分が次のＡＡＬ２セルにマッピングされる(「オーバーラップ」と称する)。そして、ＡＡＬ２セルは、ＡＡＬ２セルヘッダに格納されたＶＰＩ／ＶＣＩに従って所定のＡＴＭコネクション上を伝送される。以下、「ＡＡＬ２セル」という場合には、複数個のショートセルを格納したＡＡＬ２セルのことを指すものとする。
【発明の開示】
【発明が解決しようとする課題】
【０００６】
しかしながら、上述したＡＡＬ２セルをＡＴＭコネクションで伝送する場合には以下の問題があった。即ち、ＡＡＬ２セルのペイロードには異なるＣＩＤを持つ複数個のショートセルが多重される。このため、ＡＴＭ交換機がショートセル単位でスイッチングを行わなければ、各ショートセルを所望の宛先へ伝送することができない。ところが、従来のＡＴＭ交換機は、ＡＴＭセルのペイロードに埋め込まれたショートセルについての処理を行う機能が搭載されていなかった。このため、ショートセル単位のスイッチングを行うことができなかった。
【０００７】
従って、ＡＴＭ交換機にショートセル単位でのスイッチングを行う機能を持たせる必要があった。この場合、機能実現に必要な構成を簡易とするため、ＡＴＭ交換機がＡＡＬ２セルに対する処理を施すことによってショートセル単位でのスイッチングを行う構成とすることが望ましい。
【０００８】
そこで、ＡＴＭ交換機が、自身に入力されたＡＡＬ２セルから複数個のショートセルを抽出し、各ショートセルを一つずつペイロードに格納したＡＴＭ標準セル(「パーシャル
フィルセル」と称する：図１０(Ｂ)参照)を複数個生成し、このパーシャルフィルセル毎
にスイッチングを行えば、ショートセル単位でスイッチングを行うことが可能となる。
【０００９】
上記点に鑑み、本願出願人は、本願出願前に、ＡＡＬ２セルを複数個のパーシャルフィルセルに分離する装置(ショートセル分離装置)，及び複数個のパーシャルフィルセルから一個のＡＡＬ２セルを多重する装置(ショートセル多重装置)について出願している(特願
平８−３３２３１９号：以下、「先願」と称する)。
【００１０】
しかしながら、先願では、ショートセル分離装置とショートセル多重装置に入力されるセルの形式が異なっている。このため、これらの装置をＡＴＭ交換機に搭載しても、ＡＴＭ交換機が入出力されるセルの形式を一致させることができなかった。
【００１１】
また、ＡＴＭ交換機には、ＡＡＬ２以外の形式のセルが入力されることが予想されるため、様々な形式のセルを取り扱うことができるようにＡＴＭ交換機を構成することが望ましい。
【００１２】
さらに、ＡＴＭ交換機がショートセル単位のスイッチングを行う場合には、その動作の正常性を確認する手段をＡＴＭ交換機が有することが望しいが、ＡＡＬ２では、ショートセルのスイッチング動作の確認手法は確立されていない。
【００１３】
本発明は、上述した問題に鑑みなされたものであり、ショートセル単位でのスイッチングが可能であり、且つ入出力されるセルの形式を一致させることが可能なショートセル対応ＡＴＭ交換機及びその試験方法を提供することを課題とする。
【課題を解決するための手段】
【００１４】
本発明は、上述した課題を解決するために以下の構成を採用する。すなわち、請求項１の発明は、可変長のショートセルを格納した固定長のセルをスイッチングするＡＴＭ交換機において、複数のショートセルを格納した前記セルから、各ショートセルを１個ずつ格納したセルを生成する分離手段と、各ショートセルを１個ずつ格納した前記セルから、複数のショートセルを格納した新たなセルを生成する多重手段とを備えたことを特徴とするＡＴＭ交換機である。
【００１５】
請求項１の発明によれば、通常のＡＴＭセルの交換処理を行うＡＴＭスイッチを用いてショートセル毎の交換処理を行うことが可能となる。複数個のショートセルを格納したセルは、例えば、ＡＡＬ Ｔｙｐｅ２形式のセルである。また、本発明において、インター
フェイス部，分離装置，多重装置は、ＩＣやＬＳＩの電子回路や、ＣＰＵとメモリとを中心としたプロセッサ装置で構成可能である。
【００１６】
請求項２の発明は、請求項１の発明において、前記ショートセルが、ショートセルコネクションを識別するショートセルコネクション識別子を有していることを特徴とする。
【００１７】
請求項３の発明は、請求項２の発明において、前記分離手段が、各ショートセルを１個
ずつ格納した前記セルに、前記多重手段へ向かう値を持つ識別子を設定してＡＴＭスイッチを介して前記多重手段へ送出する構成を有することを特徴とする。
【００１８】
請求項４の発明は、請求項３の発明において、前記多重手段が、前記識別子または前記ショートセルコネクションに従って複数のショートセルを多重して格納する新たなセルを生成することを特徴とする。
【００１９】
請求項５の発明は、請求項３の発明において、前記分離手段が、前記識別子を前記ショートセルコネクション識別子を参照して設定することを特徴とする。
【００２０】
請求項６の発明は、ＡＴＭスイッチと、このＡＴＭスイッチに接続されたセル送出部，分離装置及びセル受信部とを備えたショートセル対応ＡＴＭ交換機の試験方法であって、前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第２のステップと、前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置の動作が正常か否かを判定する第３のステップとを含むことを特徴とする。
【００２１】
請求項７の発明は、ＡＴＭスイッチと、このＡＴＭスイッチに接続されたセル送出部，多重装置及びセル受信部とを備えたショートセル対応ＡＴＭ交換機の試験方法であって、前記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第２のステップと、前記セル受信部が、前記多重装置から送出されたセルを、前記ＡＴＭスイッチを介して受け取り、このセルに格納されたショートセルの内容と前記セル送出部から通知されたショートセルの内容とに基づいて、前記多重装置の動作が正常か否かを判定する第３のステップとを含むことを特徴とする。
【００２２】
請求項８の発明は、ＡＴＭスイッチと、前記ＡＴＭスイッチに接続されたセル送出部，分離装置，多重装置及びセル受信部とを備えたショートセル対応ＡＴＭ交換機の試験方法であって、前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記ＡＴＭスイッチへ向けて送出する第２のステップと、前記多重装置が、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第３のステップと、前記セル受信部が、前記多重装置から送出された
セルを、前記ＡＴＭスイッチを介して受け取り、このセルに格納されたショートセルの内容と前記セル送出部から通知されたショートセルの内容とに基づいて、前記分離装置及び前記多重装置の動作が正常か否かを判定する第４のステップとを含むことを特徴とする。
【００２３】
請求項９の発明は、ＡＴＭスイッチと、前記ＡＴＭスイッチに接続されたセル送出部，分離装置，多重装置及びセル受信部とを備えたショートセル対応ＡＴＭ交換機の試験方法であって、前記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記分離装置へ向けて送出される値に設定して前記ＡＴＭスイッチへ向けて送出する第２のステップと、前記分離装置が、前記多重装置から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第３のステップと、前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置及び前記多重装置の動作が正常か否かを判定する第４のステップとを含むことを特徴とする。
【発明の効果】
【００２４】
本発明によれば、ショートセル毎のスイッチングが可能であり、且つ入出力されるセルの形式を一致させることができる。また、分離装置や多重装置が正常に動作するか否かの試験を行うことができる。
【発明を実施するための最良の形態】
【００２５】
以下、本発明の実施形態を図面を参照して説明する。
【００２６】
［実施形態１］
以下、本発明の実施形態１を説明する。図１は、実施形態１によるショートセル対応ＡＴＭ交換機１０の構成図である。図１において、ＡＴＭ交換機１０は、ＡＴＭ-ＳＷ(セルフルーティングスイッチ)１１と、ＡＴＭ-ＳＷ１１の番号１０のポートに接続された第１インターフェイス部１２と、ＡＴＭ-ＳＷ１１の番号２０のポートに接続されたＡＡＬＣ
Ｕ分離装置(以下、「分離装置」という)１３と、ＡＴＭ-ＳＷ１１の番号３０のポートに
接続されたＡＡＬＣＵ多重装置(以下、「多重装置」という)１４と、ＡＴＭ-ＳＷ１１の
番号４０のポートに接続された第２インターフェイス部１５とからなる。
【００２７】
ＡＴＭ-ＳＷ１１は、自身に入力されたセルのＶＰＩ／ＶＣＩを参照し、所定のポート
から送出する。具体的には、ＶＰＩ＝１,ＶＣＩ＝１０のセルをポート２０から送出し、
ＶＰＩ＝３０のセルをポート３０から送出し、ＶＰＩ＝２５,ＶＣＩ＝３１のセルをポー
ト１０から送出し、ＶＰＩ＝２５,ＶＣＩ＝３０のセルをポート４０から送出する。
【００２８】
第１インターフェイス部１２には、複数個のショートセルを格納したＡＡＬ２セル(Ｖ
ＰＩ＝１５,ＶＣＩ＝２０)が入力される。本実施形態では、第１インターフェイス部１２には、"１００","１０１","１０２"の何れかのＣＩＤ番号を持つショートセルを格納したＡＡＬ２セルが入力される。
【００２９】
第１インターフェイス部１２は、ヘッダ変換部１６を有している。ヘッダ変換部１６は
、第１インターフェイス部１２に入力されたセルのＶＰＩ／ＶＣＩを、ＶＰＩ＝１,ＶＣ
Ｉ＝１０に変換する。第１インターフェイス部１２は、ヘッダ変換処理後のＡＡＬ２セル(ＶＰＩ＝１,ＶＣＩ＝１０)をＡＴＭ-ＳＷ１１へ向けて送出する。
【００３０】
また、第１インターフェイス部１２は、ＡＴＭ-ＳＷ１１からＶＰＩ＝２５,ＶＣＩ＝３１のＡＡＬ２セルを受け取る。このとき、ヘッダ変換部１６は、入力されたＡＡＬ２セルのＶＰＩ／ＶＣＩを、セルの出力先との間でネゴシエーションされた値に変換する。但し、本実施形態では、ヘッダ変換部１６は、当該ＡＡＬ２セルのＶＰＩ／ＶＣＩを同じ値に変換するものとする。そして、第１インターフェイス部１２は、ヘッダ変換処理後のＡＡＬ２セル(ＶＰＩ＝２５,ＶＣＩ＝３１)を、ＶＰＩ／ＶＣＩに対応するＡＴＭコネクショ
ンへ送出する。
【００３１】
分離装置１３は、先願にて開示したショートセル分離装置である。分離装置１３は、ＡＴＭ-ＳＷ１１から送出されたＡＡＬ２セル(ＶＰＩ＝１,ＶＣＩ＝１０)を受け取り、このＡＡＬ２セルに格納された複数個のショートセルを１個ずつ格納した複数個のパーシャルフィルセルを生成する。
【００３２】
このとき、分離装置１３は、各パーシャルフィルセルのＶＰＩをＶＰＩ＝３０に設定する。続いて、分離装置１３は、ショートセルのＣＩＤを参照し、ＣＩＤ＝１００のショートセルを格納したパーシャルフィルセルのＶＣＩをＶＣＩ＝１００に設定し、ＣＩＤ＝１０１のショートセルを格納したパーシャルフィルセルのＶＣＩをＶＣＩ＝１０１に設定し、ＣＩＤ＝１０２のショートセルを格納したパーシャルフィルセルのＶＣＩをＶＣＩ＝１０２に設定する。そして、分離装置１３は、各パーシャルフィルセルをＡＴＭ-ＳＷ１１
に入力する。
【００３３】
多重装置１４は、先願にて開示したショートセル多重装置である。多重装置１４は、ＡＴＭ-ＳＷ１１から送出された複数個のパーシャルフィルセルを受け取り、各パーシャル
フィルセルに格納された複数個のショートセルを多重化し、多重化されたショートセルを格納したＡＡＬ２セルを生成する。
【００３４】
このとき、多重装置１４は、パーシャルフィルセルのＶＣＩに従ってショートセルを多重化する。即ち、ＶＣＩ＝１００,１０２のパーシャルフィルセルに格納されたショート
セルをＶＰＩ＝２５,ＶＣＩ＝３０のＡＡＬ２セルのペイロードに多重化し、ＶＣＩ＝１
０１のパーシャルフィルセルのショートセルをＶＰＩ＝２５,ＶＣＩ＝３１のＡＡＬ２セ
ルのペイロードに多重化する。そして、多重装置１４は、生成したＡＡＬ２セルをＡＴＭ-ＳＷ１１へ向けて送出する。
【００３５】
第２インターフェイス部１５は、第１インターフェイス部１２と同じ構成を有する。第２インターフェイス部１５は、ＡＴＭ-ＳＷ１１からＡＡＬ２セルを受け取る。第２イン
ターフェイス部１５は、ヘッダ変換部１７を有しており、ヘッダ変換部１７は、第２インターフェイス部１５に入力されたＡＡＬ２セルのＶＰＩ／ＶＣＩを所望のＶＰＩ／ＶＣＩ(セルの出力先とネゴシエーションされたＶＰＩ／ＶＣＩ)に変換する。但し、実施形態１では、ヘッダ変換部１７は、第２インターフェイス部１５に入力されたＡＡＬ２セルのＶＰＩ／ＶＣＩを同じＶＰＩ／ＶＣＩに変換する。
【００３６】
そして、第２インターフェイス部１５は、ヘッダ変換部１７による処理が施されたＡＡＬ２セルを所定のＡＴＭコネクションへ送出する。なお、第１,第２インターフェイス部
１２,１５は、ＩＣ,ＬＳＩ,ＡＳＩＣ等の電子回路や、ＣＰＵ及びメモリを中心としたプ
ロセッサ装置で構成することができる。
【００３７】
ＡＴＭ交換機１０の動作は以下の通りである。即ち、夫々ＣＩＤ＝１００,１０１,１０２を持つ３つのショートセルを格納したＡＡＬ２セルが第１インターフェイス部１１に入力されたとする。すると、第１インターフェイス部１２は、ヘッダ変換部１６によってＡＡＬ２セルのＶＰＩ／ＶＣＩをＶＰＩ＝１,ＶＣＩ＝１０に変換した後、ＡＴＭ-ＳＷ１１へ向けて送出する。
【００３８】
ＡＴＭ-ＳＷ１１は、第１インターフェイス部１２から送出されたＡＡＬ２セルが入力
されると、そのＶＰＩ／ＶＣＩに従って、ＡＡＬ２セルを分離装置１３へ向けて送出する。
【００３９】
分離装置１３は、ＡＴＭ-ＳＷ１１から送出されたＡＡＬ２セルが入力されると、その
ＡＡＬ２セルから３つのパーシャルフィルセルを生成し、各パーシャルフィルセルのＶＰＩをＶＰＩ＝３０に設定し、各パーシャルフィルセルのＶＣＩをショートセルのＣＩＤを同じ番号に設定し、各パーシャルフィルセルをＡＴＭ-ＳＷ１１へ向けて送出する。
【００４０】
ＡＴＭ-ＳＷ１１は、分離装置１３から送出された各パーシャルフィルセルが入力され
ると、そのＶＰＩ／ＶＣＩを参照し、各パーシャルフィルセルを多重装置１４へ向けて送出する。
【００４１】
多重装置１４は、ＡＴＭ-ＳＷ１１から送出されたパーシャルフィルセルが入力される
と、ＶＣＩ＝１００,ＶＣＩ＝１０２のパーシャルフィルセルに格納されたショートセル
を、ＶＰＩ＝２５,ＶＣＩ＝３０のＡＡＬ２セルのペイロードに多重化する。一方、ＶＣ
Ｉ＝１０１のパーシャルフィルセルに格納されたショートセルを、ＶＰＩ＝２５,ＶＣＩ
＝３１のＡＡＬ２セルのペイロードに多重化する。そして、多重装置１４は、各ＡＡＬ２セルをＡＴＭ-ＳＷ１１へ向けて送出する。
【００４２】
ＡＴＭ-ＳＷ１１は、多重装置１４から送出されたＡＡＬ２セルが入力されると、ＶＰ
Ｉ＝２５,ＶＣＩ＝３０のＡＡＬ２セルを第２インターフェイス部１５へ向けて送出し、
ＶＰＩ＝２５,ＶＣＩ＝３１のＡＡＬ２セルを第１インターフェイス部１２へ向けて送出
する。
【００４３】
第１インターフェイス部１２は、ＡＴＭ-ＳＷ１１から送出されたＡＡＬ２セルが入力
されると、そのＡＡＬ２セルをＶＰＩ＝２５,ＶＣＩ＝３１のＡＴＭコネクションへ送出
する。一方、第２インターフェイス部１５は、ＡＴＭ-ＳＷ１１から送出されたＡＡＬ２
セルが入力されると、そのＡＡＬ２セルをＶＰＩ＝２５ＶＣＩ＝３０のＡＴＭコネクションへ送出する。
【００４４】
実施形態１によるＡＴＭ交換機１０によると、自身に入力されたＡＡＬ２セルを複数個のパーシャルフィルセルに分離し、パーシャルフィルセル内のショートセルのＣＩＤに従ってショートセルを多重化する，即ち宛先が同方向のショートセルを多重化するので、ＡＴＭ-ＳＷ１１がショートセル毎にスイッチングを行うことができる。また、ＡＴＭ交換
機１０に入出力されるセルの形式をＡＡＬ２で一致させることができる。
【００４５】
なお、各ヘッダ変換部１６,分離装置１３，及び多重装置１４にて設定されるＶＰＩ／
ＶＣＩの値は、ＡＴＭ-ＳＷ１１にて適正なポートからセルが出力されるようになってい
れば、任意の値をとることが可能である。
【００４６】
［実施形態２］
図２は、実施形態２によるショートセル対応ＡＴＭ交換機２０の構成図である。ＡＴＭ交換機２０は、実施形態１によるＡＴＭ交換機１０に、さらにＡＡＬＴｙｐｅ１形式のセ
ル(以下、「ＡＡＬ１セル」という)を処理する構成を付加したものである。ＡＴＭ交換機２０は、以下の点でＡＴＭ交換機１０と異なる。即ち、第１インターフェイス部２１には、ＡＡＬ２セル(ＶＰＩ＝６０,ＶＣＩ＝２０)と、ＡＡＬ１セル(ＶＰＩ＝７０,ＶＣＩ＝
２０)が混在して入力される。
【００４７】
第１インタフェース部２１のへッダ変換部２３は、第１インターフェイス部２１に入力されたＡＡＬ２セルのヘッダを、ＶＰＩ＝１,ＶＣＩ＝２０に変換する。一方、ヘッダ変
換部２３は、ＡＡＬ１セルのヘッダをＶＰＩ＝２,ＶＣＩ＝２０に変換する。そして、第
１インターフェイス部２１は、ヘッダ変換部２３による処理が施されたセルをＡＴＭ-Ｓ
Ｗ１１へ向けて送出する。
【００４８】
ＡＴＭ-ＳＷ１１は、第１インターフェイス部２１から送出されたセルが入力されると
、ＶＰＩ＝１,ＶＣＩ＝２０のセル(ＡＡＬ２セル)を分離装置１３へ向けて送出し、ＶＰ
Ｉ＝２,ＶＣＩ＝２０のセル(ＡＡＬ１セル)を第２インターフェイス部２２へ向けて送出
する。
【００４９】
分離装置１３は、ＡＡＬ２セルが入力されると、実施形態１と同様に、そのＡＡＬ２セルから複数個のパーシャルフィルセルを生成し、各パーシャルフィルセルをＡＴＭ-ＳＷ
１１へ向けて送出する。ＡＴＭ-ＳＷ１１は、分離装置１３から入力されたセル(ＶＰＩ＝３０のセル)を多重装置１４へ向けて送出する。
【００５０】
多重装置１４は、ＡＴＭ-ＳＷ１１から送出されたパーシャルフィルセルが入力される
と、パーシャルフィルセルからＡＡＬ２セルを生成し、このＡＡＬ２セルのＶＰＩ／ＶＣＩを、ＶＣＩ＝１００,１０２のパーシャルフィルセルに格納されたショートセルを、Ｖ
ＰＩ＝１５,ＶＣＩ＝３０のＡＡＬ２セルのペイロードに多重化して格納する。一方、多
重装置１４は、ＶＣＩ＝１０１のパーシャルフィルセルに格納されたショートセルを、ＶＰＩ＝１６,ＶＣＩ＝３１のＡＡＬ２セルのペイロードに多重化して格納する。そして、
多重装置１４は、生成したＡＡＬ２セルをＡＴＭ-ＳＷ１１へ向けて送出する。
【００５１】
ＡＴＭ-ＳＷ１１は、多重装置１４から送出されたＡＡＬ２セルが入力されると、各Ａ
ＡＬ２セルを第１インターフェイス部２１へ向けて送出する。そして、各ＡＡＬ２セルは、第１インターフェイス部２１を経て、ＶＰＩ／ＶＣＩに対応するＡＴＭコネクション上を伝送される。以上の点を除き、ＡＴＭ交換機２０の構成は、ＡＴＭ交換機１０と同様である。
【００５２】
実施形態２によると、ＡＴＭ交換機２０に入力されたＡＡＬ２セルは、第１インターフェイス部２１にて、そのＶＰＩ／ＶＣＩが分離装置１３の処理番号となるように変換され、ＡＴＭ-ＳＷ１１を経て分離装置１３に入力される。分離装置１３では、生成された各
パーシャルフィルセルのＶＰＩが多重装置１４の処理番号(ＶＰＩ＝３０)となるように設定され、各パーシャルフィルセルがＡＴＭ-ＳＷ１１を経て多重装置１４に入力される。
多重装置１４では、生成されたＡＡＬ２セルのＶＰＩ／ＶＣＩが、ＡＴＭ-ＳＷ１１の所
望のポートから送出される番号(出力回線のＶＰＩ,ＶＣＩ,ＣＩＤを示す番号)に設定される。従って、ＡＴＭ交換機２０から出力されるＡＡＬ２セルは、所望のＡＴＭコネクション(出力回線)へ送出される。
【００５３】
一方、ＡＴＭ交換機２０に入力されたＡＡＬ１セルは、第１インターフェイス部２１にて、そのＶＰＩ／ＶＣＩが所望のＡＴＭコネクション(出力回線)へ送出される番号に変換され、ＡＴＭ-ＳＷ１１,第２インターフェイス部２２を経て所望のＡＴＭコネクションへ送出される。
【００５４】
このように、実施形態２によるＡＴＭ交換機２０によれば、形式の異なるＡＡＬ１セルとＡＡＬ２セルとについての交換処理を行うことができる。なお、ＡＴＭ交換機２０は、ＡＡＬ１セルに代えてＡＡＬ Ｔｙｐｅ５形式のセルが入力されるようになっていても上
記動作を実行する。
【００５５】
［実施形態３］
図３は、本発明の実施形態３によるショートセル対応ＡＴＭ交換機３０の構成図である。図３において、ＡＴＭ交換機３０は、実施形態１によるＡＴＭ交換機１０(図１参照)におけるＡＴＭ-ＳＷ１１,第１インターフェイス部１２,第２インターフェイス部１５を有
し、ＡＴＭ-ＳＷ１１の番号２０のポートにＡＡＬＣＵ多重分離装置(以下、「多重分離装置」という)３１が接続されている。
【００５６】
ＡＴＭ-ＳＷ１１には、以下の設定が施されている。即ち、ＡＴＭ-ＳＷ１１は、ＶＰＩ＝２０,ＶＣＩ＝２０を持つセルと、ＶＰＩ＝３０,ＶＣＩ＝１００〜１０２を持つセルとを番号２０のポートから送出する。また、ＡＴＭ-ＳＷ１１は、ＶＰＩ＝１５,ＶＣＩ＝３０を持つセルを番号１０のポートから送出する。また、ＡＴＭ-ＳＷ１１は、ＶＰＩ＝１
６,ＶＣＩ＝３１を持つセルを番号４０のポートから送出する。
【００５７】
第１インターフェイス部１２には、複数個のショートセルを格納したＡＡＬ２セル(Ｖ
ＰＩ＝２０,ＶＣＩ＝２０)が入力される。但し、ヘッダ変換部１６は、ＡＡＬ２セル(Ｖ
ＰＩ＝２０,ＶＣＩ＝２０)のＶＰＩ／ＶＣＩを同じ値に変換する。第１インターフェイス部１２は、ヘッダ変換部１６による処理が施されたＡＡＬ２セルをＡＴＭ-ＳＷ１１へ向
けて送出する。
【００５８】
また、第１インターフェイス部１２は、ＡＴＭ-ＳＷ１１からＶＰＩ＝１５,ＶＣＩ＝３０のＡＡＬ２セルを受け取る。ヘッダ変換部１６は、このＡＡＬ２セルのＶＰＩ／ＶＣＩを同じ値に変換する。そして、第１インターフェイス部１２は、ヘッダ変換処理後のＡＡＬ２セルを、そのＶＰＩ／ＶＣＩに対応するＡＴＭコネクションへ送出する。
【００５９】
多重分離装置３１は、ＡＴＭ-ＳＷ１１と接続された振分部３２と、振分部３２に夫々
接続された分離部３３及び多重部３４とからなる。振分部３２は、ＡＴＭ-ＳＷ１１から
入力されたセルを、そのＶＰＩ／ＶＣＩに従って所定の出方路から送出する。即ち、振分部３２は、ＶＰＩ＝２０,ＶＣＩ＝２０のセルを分離部３３へ向けて送出し、ＶＰＩ＝３
０,ＶＣＩ＝１００〜１０３のセルを多重部３４へ向けて送出する。一方、振分部３２は
、分離部３３又は分離部３４から入力されたセルをＡＴＭ-ＳＷ１１に入力する。
【００６０】
分離部３３は、実施形態１にて説明した分離装置１３と同じ機能を持ち、生成したパーシャルフィルセルを振分部３２に入力する。多重部３４は、実施形態２にて説明した多重装置１４と同じ機能を持ち、自身に入力されたＶＣＩ＝１００,１０２のパーシャルフィ
ルセルに格納されたショートセルをＶＰＩ＝１５,ＶＣＩ＝３０を持つＡＡＬ２セルのペ
イロードに多重化し、ＶＣＩ＝１０１のパーシャルフィルセルのショートセルをＶＰＩ＝１６,ＶＣＩ＝３１を持つＡＡＬ２セルのペイロードに多重化する。そして、多重装置１
４は、生成したＡＡＬ２セルを振分部３２に入力する。
【００６１】
第２インターフェイス部１５は、ＡＴＭ-ＳＷ１１から送出されたＡＡＬ２セルが入力
される。ヘッダ変換部１７は、第２インターフェイス部１５に入力されたＡＡＬ２セルのＶＰＩ／ＶＣＩを同じ値に変換する。そして、第２インターフェイス部１５は、ヘッダ変換処理が施されたＡＡＬ２セルをＶＰＩ／ＶＣＩに応じたＡＴＭコネクションへ送出する。
【００６２】
ＡＴＭ交換機３０の動作は以下の通りである。即ち、第１インターフェイス部１２に入力されたＶＰＩ＝２０,ＶＣＩ＝２０のＡＡＬ２セルは、ＡＴＭ-ＳＷ１１に入力される。ＡＴＭ-ＳＷ１１は、第１インターフェイス部１２から入力されたＡＡＬ２セルのＶＰＩ
／ＶＣＩを参照し、そのＡＡＬ２セルを番号２０のポートから送出する。これによって、ＡＡＬ２セルは、多重分離装置３１の振分部３２に入力される。
【００６３】
振分部３２は、ＡＡＬ２セルのＶＰＩ／ＶＣＩ(ＶＰＩ＝２０,ＶＣＩ＝２０)を参照し
、このＡＡＬ２セルを分離部３３へ向けて送出する。分離部３３は、図１に示した分離装置１３と同様の動作を行い、複数個のパーシャルフィルセルを振分部３２へ向けて送出する。各パーシャルフィルセルは、振分部３２を経てＡＴＭ-ＳＷ１１に入力される。
【００６４】
ＡＴＭ-ＳＷ１１は、振分部３２から入力された各パーシャルフィルセルのＶＰＩ／Ｖ
ＣＩを参照し、各パーシャルフィルセルを振分部３２に入力する。振分部３２は、ＡＴＭ-ＳＷ１１と同様に各パーシャルフィルセルのＶＰＩ／ＶＣＩを参照して、各パーシャル
フィルセルを多重部３４に入力する。
【００６５】
多重部３４は、図１に示した多重装置１４とほぼ同様の動作を行い、ＶＰＩ＝１５,Ｖ
ＣＩ＝３０を持つＡＡＬ２セルとＶＰＩ＝１６,ＶＣＩ＝３１を持つＡＡＬ２セルとを振
分部３２へ向けて送出する。これらのＡＡＬ２セルは、振分部３２を経てＡＴＭ-ＳＷ１
１に入力される。
【００６６】
ＡＴＭ-ＳＷ１１は、振分部３２から入力された各ＡＡＬ２セルのＶＰＩ／ＶＣＩを参
照し、ＶＰＩ＝１５,ＶＣＩ＝３０を持つＡＡＬ２セルを番号１０のポートから送出し、
ＶＰＩ＝１６,ＶＣＩ＝３１を持つＡＡＬ２セルを番号４０のポートから送出する。そし
て、番号１０のポートから送出されたＡＡＬ２セルは第１インターフェイス部１２を経て該当するＡＴＭコネクションへ送出され、番号４０のポートから送出されたＡＡＬ２セルは、第２インターフェイス部１５を経て該当するＡＴＭコネクションへ送出される。
【００６７】
実施形態３によるＡＴＭ交換機３０は、実施形態１によるＡＴＭ交換機１０と同様の効果を奏する。但し、ＡＴＭ交換機３０では、使用されるＡＴＭ-ＳＷ１１のポート数がＡ
ＴＭ交換機１０よりも１つ減らすことができるため、ＡＴＭ-ＳＷ１１の使用可能なポー
ト数に制限がある場合に有効である。
【００６８】
なお、実施形態３では、振分部３２が、ＡＴＭ-ＳＷ１１から入力されたセルに格納さ
れたＶＰＩ／ＶＣＩに応じてセルを分離部３３と多重部３４との何れか一方に振り分けているが、ＶＰＩ／ＶＣＩを参照する手法に代えて、多重分離装置３１内の処理番号を多重処理用と分離処理用とで独立に割り振っておく手法や、振り分け処理用の情報ビットをＡＴＭ-ＳＷ１１から振分部３２に入力されるセルのヘッダの特定領域に格納する手法が用
いられていても良い。
【００６９】
［実施形態４］
図４は、本発明の実施形態４によるショートセル対応ＡＴＭ交換機４０の構成図である。図４に示すＡＴＭ交換機４０は、図２に示した第１インターフェイス２１,第２インタ
ーフェイス部２２が接続されたＡＴＭ-ＳＷ１１に、図３に示した多重分離装置３１を接
続したものである。
【００７０】
第１インターフェイス部２１には、実施形態２と同様に、ＡＡＬ２セルとＡＡＬ１セルとが混在して入力される。このＡＴＭ交換機４０は、ＡＡＬ２セルについては、実施形態３によるＡＴＭ交換機３０と同様の処理を行い、ＡＡＬ１セルについては、実施形態２によるＡＴＭ交換機２０と同様の処理を行う。
【００７１】
即ち、第１インターフェイス部２１のへッダ変換部２３において、ＡＡＬ２セルのＶＰＩ／ＶＣＩは、多重分離装置３１内の分離部３３に振り分けられるＶＰＩ／ＶＣＩに変換され、分離部３３では多重部３４の処理番号となるようにＶＰＩ／ＶＣＩが割り当てられ、多重部３４では、所望の出力ポートの識別番号，即ち、出力回線(ＡＴＭコネクション)のＶＰＩ,ＶＣＩ,ＣＩＤに設定することで、ショートセル単位でのスイッチングが可能となっている。
【００７２】
一方、ＡＡＬ２セル以外のセルに対しては、そのセルの所望の出力ポート内の識別番号となるように第１インタフェース部２１のへッダ変換部２３でへッダ変換を施し、ＡＴＭ-ＳＷ１１を経由して所望の出力回線(ＡＴＭコネクション)へ転送することが可能である
。
【００７３】
このように、実施形態４よるＡＴＭ交換機４０によれば、ＡＡＬ２セルとそれ以外のセル(ＡＡＬ１セル，ＡＡＬ５セル)の交換処理を行うことが可能であり、且つＡＴＭ-ＳＷ
１１の使用ポート数を減らすことができる。
【００７４】
［実施形態５］
図５は、本発明の実施形態５によるショートセル対応ＡＴＭ交換機５０を示す構成図である。図５に示すＡＴＭ交換機５０は、図１に示したＡＴＭ交換機１０のＡＴＭ-ＳＷ１
１に接続される第１インターフェイス部１２,分離装置１３,多重装置１４,第２インター
フェイス部１５の数を増やしたものである。
【００７５】
即ち、ＡＴＭ-ＳＷ１１のポート(番号３〜５)に、２つの分離装置１３及び２つの多重
装置１４を接続してあり、第１,第２インタフェース部１２,１５からＡＴＭ-ＳＷ１１に
入力されたＡＡＬ２セルは、そのＶＰＩ／ＶＣＩの値に応じて分離装置１３,１３の一方
に分散してルーティングされ、各分離装置１３,各多重装置１４による処理が行われる。
【００７６】
例えば、ＡＴＭ-ＳＷ１１の番号７のポートには、２種類のＡＡＬ２セルが入力される
が、そのうちのＶＰＩ＝１,ＶＣＩ＝２１を持つＡＡＬ２セルは番号３のポートに接続さ
れた分離装置１３へルーティングされ、ＶＰＩ＝１５,ＶＣＩ＝２１を持つＡＡＬ２セル
は番号５のポートに接続された分離装置１３へルーティングされる。その後の動作は、実施形態１とほぼ同様であるので説明を省略する。このように、ＡＴＭ交換機５０によれば、入力されるショートセルコネクション数(ショートセルのＣＩＤの番号数)が増加して、１つの分離装置１３又は多重装置１４の処理可能な容量を超えてしまうような場合に、処理の負荷を分散させることによって全体の処理能力を高めることが可能である。
【００７７】
［実施形態６］
図６は、本発明の実施形態６によるショートセル対応ＡＴＭ交換機６０の構成図である。図６において、ＡＴＭ交換機６０は、ＡＴＭ-ＳＷ１１と、ＡＴＭ-ＳＷ１１の番号１のポートに接続されたインターフェイス部６１と、ＡＴＭ-ＳＷ１１の番号ｎのポートに接
続された分離装置１３と、インターフェイス部６１に接続された試験結果表示部６４とからなる。
【００７８】
ＡＴＭ-ＳＷ１１は、自身に入力されたセルのＶＰＩ／ＶＣＩを参照し、ＶＰＩ＝ｎ,ＶＣＩ＝２０のセルを番号ｎのポートから送出し、分離装置１３に入力する。一方、ＡＴＭ-ＳＷ１１は、ＶＰＩ＝１,ＶＣＩ＝１００〜１００＋ｍのセルを番号１のポートから送出し、インターフェイス部６１に入力する。
【００７９】
インターフェイス部６１は、セル送出部６２と、セル受信部６３とを備える。セル送出
部６２は、導通試験用のＡＡＬ２セルを生成する。即ち、セル送出部６２は、多重化された複数個のショートセルがペイロードに格納されたＡＡＬ２セルを生成する。このとき、各ショートセルのＣＩＤは、１００〜１００＋ｍの何れかの値をとるようになっている。一方、ＡＡＬ２セルのＶＰＩ,ＶＣＩは、ＶＰＩ＝ｎ,ＶＣＩ＝２０に設定される。そして、セル送出部６２は、生成したＡＡＬ２セルをＡＴＭ-ＳＷ１１へ向けて送出する。この
とき、セル送出部６２は、ＡＡＬ２セルに格納した各ショートセルのＣＩＤを送出順でセル受信部６３に通知する。
【００８０】
一方、セル受信部６３は、ＡＴＭ-ＳＷ１１からインターフェイス部６１へ向けて送出
されたパーシャルフィルセルを受信する。すると、セル受信部６３は、受信したパーシャルフィルセルのＣＩＤがセル送出部６２からの通知内容に合致するか否かを判定することによって、セル送出部６２から送出したショートセルを格納したパーシャルフィルセルが到着したか否かを判定する。そして、セル受信部６３は、判定結果を試験結果表示部６４に与える。
【００８１】
試験結果表示部６４は、パーシャルフィルセルが適正に到着したとの判定結果(正常判
定)を受け取った場合には、その旨を表示する。一方、試験結果表示部６４は、パーシャ
ルフィルセルが適正に到着しなかったとの判定結果(エラー判定)を受け取った場合には、その旨を表示する。なお、試験結果表示部６４は、ランプ(ＬＥＤを含む)を点灯させることで試験結果を表示するようにしても良く、ＣＲＴやＬＣＤのディスプレイ装置に試験結果を表示するようにしても良く、また、音声によって試験結果を表示してもよい。また、試験結果表示部６４は、エラー判定を受け取った場合にのみ試験結果を表示するようになっていても良い。
【００８２】
分離装置１３は、実施形態１の分離装置１３と同じ構成を有する。ここでは、分離装置１３は、ＡＴＭ-ＳＷ１１から入力されたＡＡＬ２セルから複数個のパーシャルフィルセ
ルを生成し、そのＶＰＩをＶＰＩ＝１に設定するとともに、ＶＣＩをショートセルのＣＩＤと同じ番号に設定する。そして、各パーシャルフィルセルをＡＴＭ-ＳＷ１１へ向けて
送出する。
【００８３】
ＡＴＭ交換機６０によると、インターフェイス部６１のセル送出部６１がＣＩＤ＝１００〜１００＋ｍを持つ各ショートセルを格納した複数個のＡＡＬ２セルを生成し、ＡＴＭ-ＳＷ１１へ向けて送出する。ＡＴＭ-ＳＷ１１は、インターフェイス部６１から入力された各ＡＡＬ２セルのＶＰＩ／ＶＣＩを参照し、分離装置１３へ向けて送出する。
【００８４】
分離装置１３は、ショートセルの個数分(１＋ｍ個)のパーシャルフィルセルを生成し、各パーシャルフィルセルにショートセルを格納し、各パーシャルフィルセルのＶＣＩをＣＩＤと同じ番号に設定し、ＶＰＩをＶＰＩ＝１に設定し、各パーシャルフィルセルをＡＴＭ-ＳＷ１１に入力する。
【００８５】
ＡＴＭ-ＳＷ１１は、各パーシャルフィルセルのＶＰＩ／ＶＣＩに従って、各パーシャ
ルフィルセルをインターフェイス部６１へ送出する。インターフェイス部６１のセル受信部６３は、ＡＴＭ-ＳＷ１１から送出された各パーシャルフィルセルを受信し、パーシャ
ルフィルセルが１＋ｍ個あり、且つこれらのパーシャルフィルセルのＣＩＤが１００〜１００＋ｍであるか否かを判定し、その判定結果を試験結果表示部６４に与える。試験結果表示部６４は、判定結果(正常判定又はエラー判定)を表示する。
【００８６】
ＡＴＭ交換機６０によれば、ＡＴＭ-ＳＷ１１及び分離装置１３が正常に動作している
か否かの試験(ＡＡＬ２セルからパーシャルフィルセルへの変換が正常に行われたかの試
験：導通試験)を行うことができる。
【００８７】
［実施形態７］
図７は、本発明の実施形態７によるショートセル対応ＡＴＭ交換機７０の構成図である。図７において、ＡＴＭ交換機７０は、ＡＴＭ-ＳＷ１１と、ＡＴＭ-ＳＷ１１の番号１のポートに接続されたインターフェイス部７１と、ＡＴＭ-ＳＷ１１の番号ｎ＋１のポート
に接続された多重装置１４と、インターフェイス部７１に接続された試験結果表示部６４とからなる。
【００８８】
ＡＴＭ-ＳＷ１１は、自身に入力されたセルのＶＰＩを参照し、ＶＰＩ＝ｎ＋１,ＶＣＩ＝１００〜１００＋ｍのセルを番号ｎ＋１のポートから送出し、多重装置１４に入力する。一方、ＡＴＭ-ＳＷ１１は、ＶＰＩ＝ｍ,ＶＣＩ＝３０のセルを番号１のポートから送出し、インターフェイス部７１に入力する。
【００８９】
インターフェイス部７１は、セル送出部７２と、セル受信部７３とを備える。セル送出部７２は、導通試験用のパーシャルフィルセルを生成する。即ち、セル送出部７２は、ＣＩＤ＝１００〜１００＋ｍを持つ複数個のショートセルを格納した１＋ｍ個のパーシャルフィルセルを生成し、各パーシャルフィルセルのＶＰＩをＶＰＩ＝ｎ＋１に設定し、ＶＣＩをショートセルのＣＩＤと同じ番号に設定し、各パーシャルフィルセルをＡＴＭ-ＳＷ
１１へ向けて送出する。このとき、セル送出部７２は、各ショートセルのＣＩＤを送出順でセル受信部７３に通知する。
【００９０】
一方、セル受信部７３は、ＡＴＭ-ＳＷ１１からインターフェイス部７１へ向けて送出
されたＡＡＬ２セルを受信する。すると、セル受信部７３は、受信したＡＡＬ２セルに格納されたショートセルのＣＩＤがセル送出部７２からの通知内容に合致するか否かを判定することによって、セル送出部７２から送出したショートセルを格納したＡＡＬ２セルが到着したか否かを判定する。そして、セル受信部７３は、判定結果を試験結果表示部６４に与える。試験結果表示部６４は、実施形態６にて説明したものと同じである。
【００９１】
多重装置１４は、実施形態１の多重装置１４と同じ構成を有する。ここでは、多重装置１４は、ＡＴＭ-ＳＷ１１から入力されたパーシャルフィルセルに格納された複数個のシ
ョートセルをペイロードに多重化した複数個のＡＡＬ２セルを生成し、そのＶＰＩをＶＰＩ＝ｍに設定するとともに、ＶＣＩをＶＣＩ＝３０に設定する。そして、各ＡＡＬ２セルをＡＴＭ-ＳＷ１１へ向けて送出する。
【００９２】
ＡＴＭ交換機７０によると、インターフェイス部７１のセル送出部７１がＣＩＤ＝１００〜１００＋ｍを持つ各ショートセルを格納した複数個のパーシャルフィルセルを生成し、ＡＴＭ-ＳＷ１１へ向けて送出する。ＡＴＭ-ＳＷ１１は、インターフェイス部７１から入力された各パーシャルフィルセルのＶＰＩ／ＶＣＩを参照し、多重装置１４へ向けて送出する。
【００９３】
多重装置１４は、１＋ｍ個のショートセルを格納した複数個のＡＡＬ２セルを生成し、各ＡＡＬ２セルのＶＰＩをＶＰＩ＝ｍに設定し、ＶＣＩをＶＣＩ＝３０に設定し、各ＡＡＬ２セルをＡＴＭ-ＳＷ１１に入力する。
【００９４】
ＡＴＭ-ＳＷ１１は、各ＡＡＬ２セルのＶＰＩ／ＶＣＩに従って、各ＡＡＬ２セルをイ
ンターフェイス部７１へ向けて送出する。インターフェイス部７１のセル受信部７３は、ＡＴＭ-ＳＷ１１から送出された各ＡＡＬ２セルを受信し、複数個のＡＡＬ２セルに格納
された複数個のショートセルのＣＩＤが１００〜１００＋ｍであるか否かを判定し、その判定結果を試験結果表示部６４に与える。試験結果表示部６４は、判定結果(正常判定又
はエラー判定)を表示する。
【００９５】
ＡＴＭ交換機７０によれば、ＡＴＭ-ＳＷ１１及び多重装置１４が正常に動作している
か否かの試験(パーシャルフィルセルからＡＡＬ２セルへの変換が正常に行われたかの試
験：導通試験)を行うことができる。
【００９６】
なお、実施形態６,７では、ショートセルの個数とＣＩＤの値とをもって良否判定を行
っているが、セル送出部６２(７２)が、自身から送出したショートセルの内容(ビットパ
ターン)をセル受信部６３(７３)に通知し、セル受信部６３(７３)がそのビットパターン
から受信されるショートセルのビットパターンの期待値(予想値)を算出し、実際に受信したショートセルのビットパターンと期待値とを対比して良否(ビットエラー)を判定するようにしても良い。
【００９７】
また、セル送出部６２(７２)から送出されるＡＴＭセルのビットパターンからセル受信部６３(７３)が受信するＡＴＭセルのビットパターンの期待値が算出され、セル受信部６３(７３)が実際に受信したＡＴＭセルのビットパターンと期待値とを対比して良否(ビッ
トエラー)を判定するようにしても良い。
【００９８】
［実施形態８］
図８は、本発明の実施形態８によるショートセル対応ＡＴＭ交換機８０の構成図である。図８において、ＡＴＭ交換機８０は、ＡＴＭ-ＳＷ１１と、ＡＴＭ-ＳＷ１１の番号１のポートに接続されたインターフェイス部７１と、ＡＴＭ-ＳＷ１１の番号ｎのポートに接
続された分離装置１３と、ＡＴＭ-ＳＷ１１の番号ｎ＋１のポートに接続された多重装置
１４と、インターフェイス部８１に接続された試験結果表示部６４とからなる。インターフェイス部８１は、図６に示したセル送出部６２と、図７に示したセル受信部７３とを有する。
【００９９】
ＡＴＭ交換機８０の動作は以下の通りである。即ち、セル送出部６２が、複数個のＡＡＬ２セルを生成してＡＴＭ-ＳＷ１１へ向けて送出し、送出したＡＡＬ２セルのＶＰＩ,ＶＣＩ,ＣＩＤをセル受信部７３に与える。セル受信部７３は、セル送出部７２から受け取
ったＶＰＩ,ＶＣＩ,ＣＩＤから、受信するＡＡＬ２セルのＶＰＩ,ＶＣＩ,ＣＩＤの期待値を予め算出する。その後、セル受信部７３は、ＡＴＭ-ＳＷ１１から実際に受信したＡＡ
Ｌ２セルのＶＰＩ,ＶＣＩ,ＣＩＤが期待値と同じかを判定する。そして、セル受信部７３の判定結果が試験結果判定部６４に表示される。以上の点を除き、ＡＴＭ交換機８０の動作は、実施形態１に示したＡＴＭ交換機１０(図１参照)と同じである。
【０１００】
なお、図８に示したＡＴＭ交換機８０では、セル送出部６２から送出されるセルのＶＰＩ,ＶＣＩ,ＣＩＤと、セル受信部７３が受信するセルのＶＰＩ,ＶＣＩ,ＣＩＤが同じ値となる例を示したものである。
【０１０１】
ＡＴＭ交換機８０によれば、ＡＴＭ-ＳＷ１１,分離装置１３,多重装置１４が正常に動
作するか否かの試験(ＡＡＬ２セル→パーシャルフィルセル→ＡＡＬ２セルへの変換が正
常に行われたかの試験)を行うことができる。
【０１０２】
なお、実施形態１によるＡＴＭ交換機１０(図１参照)にセル送出部６２及びセル受信部７３を設け、実施形態１にて説明した動作が行われる前に上記試験を行うようにしても良い。
【０１０３】
［実施形態９］
図９は、本発明の実施形態９によるショートセル対応ＡＴＭ交換機９０の構成図である。図９において、ＡＴＭ交換機９０は、図８に示したＡＴＭ交換機８０と以下の点を除き
同じ構成を有する。即ち、インターフェイス部９１が、図８に示したセル送出部６２及びセル受信部７３に代えてセル送出部７２及びセル受信部６３を備える。また、ＡＴＭ−ＳＷ１１がインターフェイス部９１から入力されたセルを多重装置１４に入力し、多重装置１４から入力されたセルを分離装置１３に入力し、分離装置１３から入力されたセルをインターフェイス部９１に入力する。
【０１０４】
ＡＴＭ換機９０によれば、パーシャルフィルセル→ＡＡＬ２セル→パーシャルフィルセルへの変換が正常に行われたかの試験を行うことができる。なお、実施形態１によるＡＴＭ交換機１０(図１参照)にセル送出部７２及びセル受信部６３を設け、実施形態１にて説明した動作が行われる前に上記試験を行うようにしても良い。
【０１０５】
なお、実施形態６〜９では、セル送出部とセル受信部とが同一のインターフェイス部内に設けられている例を示したが、セル送出部とセル受信部とは別個のインターフェイス部内に設けられていても良く、また、セル送出部とセル受信部とがインターフェイス部と別個に設けられていても良い。
【図面の簡単な説明】
【０１０６】
【図１】本発明の実施形態１によるショートセル対応ＡＴＭ交換機の構成図
【図２】本発明の実施形態２によるショートセル対応ＡＴＭ交換機の構成図
【図３】本発明の実施形態３によるショートセル対応ＡＴＭ交換機の構成図
【図４】本発明の実施形態４によるショートセル対応ＡＴＭ交換機の構成図
【図５】本発明の実施形態５によるショートセル対応ＡＴＭ交換機の構成図
【図６】本発明の実施形態６によるショートセル対応ＡＴＭ交換機の構成図
【図７】本発明の実施形態７によるショートセル対応ＡＴＭ交換機の構成図
【図８】本発明の実施形態８によるショートセル対応ＡＴＭ交換機の構成図
【図９】本発明の実施形態９によるショートセル対応ＡＴＭ交換機の構成図
【図１０】ＡＡＬ Ｔｙｐｅ２セル,ショートセル及びパーシャルフィルセルのフォー  マット説明図
【図１１】ＡＡＬ Ｔｙｐｅ２セル及びショートセルのフォーマット説明図
【図１２】ＡＡＬ Ｔｙｐｅ２による転送方式の概念図
【符号の説明】
【０１０７】
１０  ショートセル対応ＡＴＭ交換機
１１  ＡＴＭ−ＳＷ
１２  第１インターフェイス部
１３  ＡＡＬＣＵ分離装置
１４  ＡＡＬＣＵ多重装置
１５  第２インターフェイス部
１６,１７  ヘッダ変換部
３１  ＡＡＬＣＵ多重分離装置
３２  振分部
６２,７２  セル送出部
６３,７３  セル受信部
６４  試験結果表示部
【図１】
2004173316.tif 000003
【図２】
2004173316.tif 000004
【図３】
2004173316.tif 000005
【図４】
2004173316.tif 000006
【図５】
2004173316.tif 000007
【図６】
2004173316.tif 000008
【図７】
2004173316.tif 000009
【図８】
2004173316.tif 000010
【図９】
2004173316.tif 000011
【図１０】
2004173316.tif 000012
【図１１】
2004173316.tif 000013
【図１２】
2004173316.tif 000014